(57)【要約】      （修正有）【課題】第１回転軸と第２回転軸とが、正転すると、二つの揺動按摩ヘッドが同期按摩を行い、逆転すると、非同期按摩を行うマッサージ装置を提供する。【解決手段】第１回転軸１１と第２回転軸１２とをそれぞれ駆動する動力源１０を含み、同期按摩と非同期按摩とを実行可能なマッサージ装置であり、第１回転軸の上端に近接する周面に、第１ピン１１１と、第１偏心ディスク２０と、第１揺動按摩ヘッド３０とが設けられ、第２回転軸の上端に近接する周面に、第２ピン１２１と、第２偏心ディスク４０と、第２揺動按摩ヘッド５０とが設けられる。第１回転軸に第１偏心ディスクが嵌設され、第１偏心ディスクに第１ピンを差込み可能な溝が設けられ、第１揺動按摩ヘッドの伝動端に嵌めリング３１が設けられ、嵌めリングが第１偏心ディスクの外周面に嵌設される。第２回転軸にも同様に第２偏心ディスクが嵌設される。【選択図】図２
0003198428.tif 000002
【実用新案登録請求の範囲】
【請求項１】
第１回転軸と第２回転軸とをそれぞれ駆動する動力源を含み、同期按摩と非同期按摩とを実行可能なマッサージ装置において、
前記第１回転軸の上端に近接する周面には、第１ピンと、第１偏心ディスクと、第１揺動按摩ヘッドとが設けられており、前記第２回転軸の上端に近接する周面には、第２ピンと、第２偏心ディスクと、第２揺動按摩ヘッドとが設けられており、前記第１回転軸に前記第１偏心ディスクが嵌設されており、前記第１偏心ディスクには、前記第１ピンを差込み可能な溝が設けられており、前記第１揺動按摩ヘッドの伝動端に嵌めリングが設けられており、前記嵌めリングが前記第１偏心ディスクの外周面に嵌設されており、前記第２回転軸に前記第２偏心ディスクが嵌設されており、前記第２偏心ディスクには、１８０度の円弧形溝と、前記円弧形溝の両端に位置する、第１平面と、第２平面とが設けられており、前記円弧形溝に前記第２ピンを差込み可能であり、前記第２揺動按摩ヘッドの伝動端に嵌めリングが設けられており、前記嵌めリングが前記第２偏心ディスクの外周面に嵌設されており、
前記第１回転軸と前記第２回転軸とが正転すると、前記第１ピンが前記溝を押さえ、前記第２ピンが前記円弧形溝の前記第１平面を押さえて、前記第１偏心ディスク、前記第２偏心ディスク、前記第１揺動按摩ヘッド及び前記第２揺動按摩ヘッドが駆動されて、同期に移動して同期按摩を実行可能であり、
前記第１回転軸と前記第２回転軸とが逆転すると、前記第１ピンが前記溝を押さえて、前記第１偏心ディスクが駆動され、前記第２回転軸の前記第２ピンは、前記円弧形溝において、１８０度に空転して前記第２平面に当接して、前記第２偏心ディスクを駆動して、前記第１揺動按摩ヘッド及び前記第２揺動按摩ヘッドが駆動されて、非同期に移動して非同期按摩を実行可能であることを特徴とするマッサージ装置。
【請求項２】
前記第１揺動按摩ヘッドと前記第２揺動按摩ヘッドとの前記伝動端の反対側が按摩端であり、前記按摩端に突起付き按摩ヘッドが少なくとも一つ設けられており、前記第１揺動按摩ヘッドと前記第２揺動按摩ヘッドとの前記伝動端と前記按摩端との間にガイド溝が設けられており、台座の表面に二つのガイドローラが設けられており、二つの前記ガイド溝がそれぞれ二つの前記ガイドローラと嵌合し、前記第１揺動按摩ヘッドと前記第２揺動按摩ヘッドとの移動は、二つの前記ガイドローラ、前記第１偏心ディスク及び前記第２偏心ディスクに規制されることを特徴とする、請求項１に記載のマッサージ装置。
【請求項３】
前記第１回転軸と前記第２回転軸との上端には、非円形凸部と、ロック穴とが設けられており、二つの回転按摩ディスクには、非円形溝と、穿孔とが設けられており、二つの前記回転按摩ディスクの前記非円形溝が前記非円形凸部に組み付けられており、二つの螺子が前記穿孔を挿通して前記ロック穴にねじ込んで、二つの前記回転按摩ディスクが固定され、二つの前記回転按摩ディスクは、前記嵌めリングよりも大きく、前記嵌めリングを隠し、二つの固定ディスクは、前記第１偏心ディスクと前記第２偏心ディスクとよりも大きく、それぞれ前記第１偏心ディスクと前記第２偏心ディスクとに固定されており、前記嵌めリングの下面を隠すことを特徴とする、請求項２に記載のマッサージ装置。
【請求項４】
前記台座は、上ケースと、下ケースと、から構成され、その内部に収容空間が形成されており、前記収容空間が前記動力源を収容することを特徴とする、請求項３に記載のマッサージ装置。
【請求項５】
前記動力源は、二軸モータを含み、前記二軸モータは、第１ギアと第２ギアとを同期に駆動可能であり、前記第１ギアが第３ギアを駆動可能であり、前記第２ギアが第４ギアを駆動可能であり、前記第３ギアが前記第１回転軸に同軸に固定されており、前記第４ギアが前記第２回転軸に同軸に固定されていることを特徴とする、請求項４に記載のマッサージ装置。
【考案の詳細な説明】
【技術分野】
【０００１】
本考案は、マッサージ装置に関し、特に、第２偏心ディスクに円弧形溝が設けられており、第1回転軸と第２回転軸とが正転すると、二つの揺動按摩ヘッドが同期按摩を行い、第1回転軸と第２回転軸とが逆転すると、第２回転軸が、円弧形溝において、ある角度に空転して、揺動按摩ヘッドを駆動するため、二つの揺動按摩ヘッドが非同期按摩を行うマッサージ装置に関するものである。
【背景技術】
【０００２】
本願の出願人は、特許文献１の台湾実用新案１０３２１１６４０号の「回転及び伸びて揺動可能な按摩ヘッドユニット」を提案した。このような按摩ヘッドユニットは、偏心軸穴リングを含み、前記偏心軸穴リングの一側から揺動アームが延び、前記揺動アームの中央には、より長い規制溝が設けられており、前記揺動アームには、受動側と、作用側とが設けられており、前記偏心軸穴リングが前記揺動アームの前記受動側と連接し、前記揺動アームの前記作用側に按摩突起が少なくとも一つ設けられており、前記偏心軸穴リングの偏心軸穴に偏心軸が嵌め込まれており、前記偏心軸内に中心軸穴が設けられており、前記偏心軸の上面には、その円心が前記中心軸穴に位置合わせる回転ディスクが一体に設けられており、前記回転ディスクの上面に按摩突起が少なくとも一つ設けられている。これにより、前記回転ディスクが回転しながら按摩を行うと同時に、前記揺動アームが揺動しながら擦り按摩を行う。
【０００３】
しかしながら、二セットの前記偏心軸穴リングが前記揺動アームの前記受動側と連接するため、同期按摩と非同期按摩を選択して行うことができず、すなわち、正転又は逆転させても、同期按摩の形態を変更できない。
【先行技術文献】
【特許文献】
【０００４】
【特許文献１】台湾実用新案１０３２１１６４０号公報
【考案の概要】
【考案が解決しようとする課題】
【０００５】
本考案の主な目的は、第２偏心ディスクに円弧形溝が設けられており、第１回転軸と第２回転軸とが正転すると、二つの揺動按摩ヘッドが同期按摩を行い、第1回転軸と第２回転軸とが逆転すると、第２回転軸が、円弧形溝において、ある角度に空転して、揺動按摩ヘッドを駆動するため、二つの揺動按摩ヘッドが非同期按摩を行うマッサージ装置を提供することにある。
【課題を解決するための手段】
【０００６】
本考案のマッサージ装置によると、第１回転軸と第２回転軸とをそれぞれ駆動する動力源を含み、同期按摩と非同期按摩とを実行可能なマッサージ装置において、
第１回転軸の上端に近接する周面には、第１ピンと、第１偏心ディスクと、第１揺動按摩ヘッドとが設けられており、第２回転軸の上端に近接する周面には、第２ピンと、第２偏心ディスクと、第２揺動按摩ヘッドとが設けられており、第１回転軸に第１偏心ディスクが嵌設されており、第１偏心ディスクには、第１ピンを差込み可能な溝が設けられており、第１揺動按摩ヘッドの伝動端に嵌めリングが設けられており、嵌めリングが第１偏心ディスクの外周面に嵌設されており、第２回転軸に第２偏心ディスクが嵌設されており、第２偏心ディスクには、１８０度の円弧形溝と、円弧形溝の両端に位置する、第１平面と、第２平面とが設けられており、円弧形溝に第２ピンを差込み可能であり、第２揺動按摩ヘッドの伝動端に嵌めリングが設けられており、嵌めリングが第２偏心ディスクの外周面に嵌設されており、
第１回転軸と第２回転軸とが正転すると、第１ピンが溝を押さえ、第２ピンが円弧形溝の第１平面を押さえて、第１偏心ディスク、第２偏心ディスク、第１揺動按摩ヘッド及び第２揺動按摩ヘッドが駆動されて、同期に移動して同期按摩を実行可能であり、
第１回転軸と第２回転軸とが逆転すると、第１ピンが溝を押さえて、第１偏心ディスクが駆動され、第２回転軸の第２ピンは、円弧形溝において、１８０度に空転して第２平面に当接して、第２偏心ディスクを駆動して、第１揺動按摩ヘッド及び第２揺動按摩ヘッドが駆動されて、非同期に移動して非同期按摩を実行可能であることを特徴とする。
【０００７】
本考案のマッサージ装置によると、第１揺動按摩ヘッドと第２揺動按摩ヘッドとの伝動端の反対側が按摩端であり、按摩端に突起付き按摩ヘッドが少なくとも一つ設けられており、第１揺動按摩ヘッドと第２揺動按摩ヘッドとの伝動端と按摩端との間にガイド溝が設けられており、台座の表面に二つのガイドローラが設けられており、二つのガイド溝がそれぞれ二つのガイドローラと嵌合し、第１揺動按摩ヘッドと第２揺動按摩ヘッドとの移動は、二つのガイドローラ、第１偏心ディスク及び第２偏心ディスクに規制されることを特徴とする。
【０００８】
本考案のマッサージ装置によると、第１回転軸と第２回転軸との上端には、非円形凸部と、ロック穴とが設けられており、二つの回転按摩ディスクには、非円形溝と、穿孔とが設けられており、二つの回転按摩ディスクの非円形溝が非円形凸部に組み付けられており、二つの螺子が穿孔を挿通してロック穴にねじ込んで、二つの回転按摩ディスクが固定され、二つの回転按摩ディスクは、嵌めリングよりも大きく、嵌めリングを隠し、二つの固定ディスクは、第１偏心ディスクと第２偏心ディスクとよりも大きく、それぞれ第１偏心ディスクと第２偏心ディスクとに固定されており、嵌めリングの下面を隠すことを特徴とする。
【０００９】
本考案のマッサージ装置によると、台座は、上ケースと、下ケースと、から構成され、その内部に収容空間が形成されており、収容空間が動力源を収容することを特徴とする。
【００１０】
本考案のマッサージ装置によると、動力源は、二軸モータを含み、二軸モータは、第１ギアと第２ギアとを同期に駆動可能であり、第１ギアが第３ギアを駆動可能であり、第２ギアが第４ギアを駆動可能であり、第３ギアが第１回転軸に同軸に固定されており、第４ギアが第２回転軸に同軸に固定されていることを特徴とする。
【考案の効果】
【００１１】
本考案のマッサージ装置によれば、第２偏心ディスクに円弧形溝が設けられており、第1回転軸と第２回転軸とが正転すると、二つの揺動按摩ヘッドが同期按摩を行い、第1回転軸と第２回転軸とが逆転すると、第２回転軸が、円弧形溝において、ある角度に空転して、揺動按摩ヘッドを駆動可能であるため、二つの揺動按摩ヘッドが非同期按摩を行うという効果を有する。
【図面の簡単な説明】
【００１２】
【図１】本考案の一実施形態を示す斜視図である。
【図２】本考案の一実施形態の上方の視点から見た分解斜視図である。
【図３】本考案の一実施形態の下方の視点から見た分解斜視図である。
【図４】本考案に係る二つの揺動按摩ヘッドが非同期に動作する状態を示す平面図である。
【図５】本考案に係る二つの揺動按摩ヘッドが非同期に動作する状態を示す下面図である。
【図６】本考案に係る二つの揺動按摩ヘッドが同期に動作する状態を示す平面図である。
【図７】本考案の一実施形態が非同期に動作する状態を示す平面図である。
【図８】本考案の一実施形態が同期に動作する状態を示す平面図である。
【考案を実施するための形態】
【００１３】
以下、本考案の実施の形態を図面に基づいて説明する。
図１から図８を参照する。本考案の一実施形態に係るマッサージ装置は、第１回転軸１１と第２回転軸１２とをそれぞれ駆動する動力源１０を含み、同期按摩と非同期按摩とを実行可能である。
【００１４】
第１回転軸１１の上端に近接する周面には、第１ピン１１１と、第１偏心ディスク２０と、第１揺動按摩ヘッド３０とが設けられている。第２回転軸１２の上端に近接する周面には、第２ピン１２１と、第２偏心ディスク４０と、第２揺動按摩ヘッド５０とが設けられている。第１回転軸１１に第１偏心ディスク２０が嵌設されている。第１偏心ディスク２０には、第１ピン１１１を差込み可能な溝２１が設けられている。第１揺動按摩ヘッド３０の伝動端に嵌めリング３１が設けられている。嵌めリング３１は第１偏心ディスク２０の外周面に嵌設されている。第２回転軸１２に第２偏心ディスク４０が嵌設されている。第２偏心ディスク４０には、１８０度の円弧形溝４１と、円弧形溝４１の両端に位置する、第１平面４１１と、第２平面４１２とが設けられている。円弧形溝４１に第２ピン１２１を差込み可能である。第２揺動按摩ヘッド５０の伝動端に嵌めリング５１が設けられている。嵌めリング５１は第２偏心ディスク４０の外周面に嵌設されている。これにより、第１回転軸１１と第２回転軸１２とが正転すると、第１ピン１１１が溝２１を押さえ、第２ピン１２１が円弧形溝４１の第１平面４１１を押さえて、第１偏心ディスク２０、第２偏心ディスク４０、第１揺動按摩ヘッド３０及び第２揺動按摩ヘッド５０が駆動されて、同期に移動して同期按摩を実行可能である。なお、第１回転軸１１と第２回転軸１２とが逆転すると、第１ピン１１１が溝２１を押さえて、第１偏心ディスク２０が駆動され、第２回転軸１２の第２ピン１２１は、円弧形溝４１において、１８０度に空転して第２平面４１２に当接して、第２偏心ディスク４０を駆動する。これにより、第１揺動按摩ヘッド３０及び第２揺動按摩ヘッド５０が駆動されて、非同期に移動して非同期按摩を実行可能である。
【００１５】
第１揺動按摩ヘッド３０と第２揺動按摩ヘッド５０との伝動端の反対側が按摩端である。前記按摩端に突起付き按摩ヘッド３２、５２が設けられている。第１揺動按摩ヘッド３０の前記伝動端と前記按摩端との間にガイド溝３３が設けられている。第２揺動按摩ヘッド５０の前記伝動端と前記按摩端との間にガイド溝５３が設けられている。台座６０の表面に二つのガイドローラ６１が設けられている。ガイド溝３３、５３は、それぞれ二つのガイドローラ６１と嵌合する。第１揺動按摩ヘッド３０と第２揺動按摩ヘッド５０との移動は、二つのガイドローラ６１、第１偏心ディスク２０及び第２偏心ディスク４０に規制される。
【００１６】
第１回転軸１１の上端には、非円形凸部１１２と、ロック穴１１３とが設けられている。第２回転軸１２の上端には、非円形凸部１２２と、ロック穴１２３とが設けられている。二つの回転按摩ディスク７０には、非円形溝７１と、穿孔７２とがそれぞれ設けられている。二つの回転按摩ディスク７０の非円形溝７１が非円形凸部１１２、１２２に組み付けられている。二つの螺子７３が穿孔７２を挿通してロック穴１１３、１２３にねじ込んで、二つの回転按摩ディスク７０が固定される。二つの回転按摩ディスク７０は、嵌めリング３１、５１よりも大きく、嵌めリング３１、５１を隠す。二つの固定ディスク８０は、第１偏心ディスク２０と第２偏心ディスク４０とよりも大きく、それぞれ第１偏心ディスク２０と第２偏心ディスク４０とに固定されており、嵌めリング３１、５１の下面を隠す。
【００１７】
台座６０は、上ケース６２と、下ケース６３と、から構成され、その内部に収容空間６４が形成されている。収容空間６４は動力源１０を収容する。
【００１８】
動力源１０は、二軸モータ１３を含む。二軸モータ１３は、第１ギア１４と第２ギア１５とを同期に駆動可能である。第１ギア１４は第３ギア１６を駆動可能である。第２ギア１５は第４ギア１７を駆動可能である。第３ギア１６は第１回転軸１１に同軸に固定されている。第４ギア１７は第２回転軸１２に同軸に固定されている。
【産業上の利用可能性】
【００１９】
本考案は、マッサージ装置に適用することができる。
【符号の説明】
【００２０】
１０  動力源
１１  第１回転軸
１２  第２回転軸
１３  二軸モータ
１４  第１ギア
１５  第２ギア
１６  第３ギア
１７  第４ギア
２０  第１偏心ディスク
２１  溝
３０  第１揺動按摩ヘッド
３１  嵌めリング
３２  突起付き按摩ヘッド
３３  ガイド溝
４０  第２偏心ディスク
４１  円弧形溝
５０  第２揺動按摩ヘッド
５１  嵌めリング
５２  突起付き按摩ヘッド
５３  ガイド溝
６０  台座
６１  ガイドローラ
６２  上ケース
６３  下ケース
６４  収容空間
７０  回転按摩ディスク
７１  非円形溝
７２  穿孔
７３  螺子
８０  固定ディスク
１１１  第１ピン
１１２  非円形凸部
１１３  ロック穴
１２１  第２ピン
１２３  ロック穴
１２２  非円形凸部
４１１  第１平面
４１２  第２平面
【図１】
0003198428.tif 000003
【図２】
0003198428.tif 000004
【図３】
0003198428.tif 000005
【図４】
0003198428.tif 000006
【図５】
0003198428.tif 000007
【図６】
0003198428.tif 000008
【図７】
0003198428.tif 000009
【図８】
0003198428.tif 000010